(57)【要約】【課題】利用者の所望する質の画像形成を行うことができる技術を提供する。【解決手段】同じ記録媒体の同じ描画領域内に、同じ画像を繰り返し形成する重ね打ちを行う画像形成システムであって、重ね打ちの回数を受け付ける印刷設定手段と、画像形成対象である画像データと画像形成の動作を規定するコマンドとを含んだページデータを作成し、同一のページデータを重ね打ちの回数分含ませた印刷データを作成する印刷データ作成手段と、印刷データに基づき、重ね打ちの回数分の画像形成を１つの印刷ジョブ内で実行することで、重ね打ちを行う画像形成手段と、を有することを特徴とする。【選択図】図８
2020149375.tif 000002
【特許請求の範囲】
【請求項１】
同じ記録媒体の同じ描画領域内に、同じ画像を繰り返し形成する重ね打ちを行う画像形成システムであって、
重ね打ちの回数を受け付ける印刷設定手段と、
画像形成対象である画像データと画像形成の動作を規定するコマンドとを含んだページデータを作成し、同一の前記ページデータを前記重ね打ちの回数分含ませた印刷データを作成する印刷データ作成手段と、
前記印刷データに基づき、前記重ね打ちの回数分の画像形成を１つの印刷ジョブ内で実行することで、前記重ね打ちを行う画像形成手段と、
を有することを特徴とする画像形成システム。
【請求項２】
請求項１に記載の画像形成システムにおいて、
前記印刷設定手段は、１つのページデータの処理を行うごとに印刷ジョブを停止するか否かの設定である一時停止設定を受け付け、
前記印刷データ作成手段は、前記一時停止設定が有効である場合、１つのページデータごとに、停止コマンドを付加して前記印刷データを作成し、
前記画像形成手段は、前記停止コマンドに基づき、１つのページデータの処理を行うごとに印刷ジョブを停止する、
ことを特徴とする画像形成システム。
【請求項３】
請求項２に記載の画像形成システムにおいて、
さらに、前記印刷ジョブが停止している状態のときに、当該印刷ジョブを継続するか否かの指令を利用者から受け付ける表示操作手段を有し、
前記画像形成手段は、前記表示操作手段が前記印刷ジョブを継続するとの指令を受け付けると、停止していた前記印刷ジョブの残余を継続して実行し、前記表示操作手段が前記印刷ジョブを継続しないとの指令を受け付けると、前記印刷ジョブを終了する、
ことを特徴とする画像形成システム。
【請求項４】
請求項３に記載の画像形成システムにおいて、
前記画像形成手段は、前記表示操作手段が前記印刷ジョブを継続しないとの指令を受け付けると、当該印刷ジョブについての残余のページデータを削除する、
ことを特徴とする画像形成システム。
【請求項５】
請求項１に記載の画像形成システムにおいて、
前記画像形成手段は、画像形成装置に備えられ、
前記印刷設定手段と前記印刷データ作成手段とは、前記画像形成装置の外部装置に備えられ、
前記外部装置の送信手段が前記ページデータを複数送信することで、印刷データを前記画像形成装置に送信し、前記画像形成装置の受信手段が当該印刷データを受信する、
ことを特徴とする画像形成システム。
【請求項６】
同じ記録媒体の同じ描画領域内に、同じ画像を繰り返し形成する重ね打ちを行う画像形成システムの画像形成方法であって、
前記画像形成システムが、
重ね打ちの回数を受け付け、
画像形成対象である画像データと画像形成の動作を規定するコマンドとを含んだページデータを作成し、同一の前記ページデータを前記重ね打ちの回数分含ませた印刷データを作成し、
前記印刷データに基づき、前記重ね打ちの回数分の画像形成を１つの印刷ジョブ内で実行することで、前記重ね打ちを行う、
ことを特徴とする画像形成方法。
【請求項７】
同じ記録媒体の同じ描画領域内に、同じ画像を繰り返し形成する重ね打ちを行う画像形成システムが実行する画像形成プログラムであって、
重ね打ちの回数を受け付け、
画像形成対象である画像データと画像形成の動作を規定するコマンドとを含んだページデータを作成し、同一の前記ページデータを前記重ね打ちの回数分含ませた印刷データを作成し、
前記印刷データに基づき、前記重ね打ちの回数分の画像形成を１つの印刷ジョブ内で実行することで、前記重ね打ちを行う、
処理を前記画像形成システムに実行させるための画像形成プログラム。
【発明の詳細な説明】
【技術分野】
【０００１】
本発明は、画像形成システム、画像形成方法、画像形成プログラムに関する。
【背景技術】
【０００２】
衣服やカバンなどに画像を形成するガーメントプリンタ（画像形成装置）がある。このような画像形成装置は、厚手の生地に印刷したり鮮やかに印刷したりする場合に、好適な画像を得るために同じデータを２度印刷するモードが存在する。
【０００３】
また関連のある技術として、例えば特許文献１には、階調濃度を細かく調整可能な技術が開示されている。
【発明の概要】
【発明が解決しようとする課題】
【０００４】
従来の２度打ち印刷は、色味が足りない場合に改めてもう一度印刷ジョブを流して印刷する手法であるため、手間がかかるという問題がある。
【０００５】
また特許文献１の技術は、画像データに基づいてドット数を決定しているものであり、画像データのとおりに印刷したとしても媒体によっては画像が薄い場合もあり、利用者にとって好適な画像が形成されないことがある。
【０００６】
本発明は、利用者の所望する質の画像形成を行うことができる技術を提供することを目的とする。
【課題を解決するための手段】
【０００７】
上記課題を解決するために、本発明の画像形成システムは、同じ記録媒体の同じ描画領域内に、同じ画像を繰り返し形成する重ね打ちを行う画像形成システムであって、重ね打ちの回数を受け付ける印刷設定手段と、画像形成対象である画像データと画像形成の動作を規定するコマンドとを含んだページデータを作成し、同一のページデータを重ね打ちの回数分含ませた印刷データを作成する印刷データ作成手段と、印刷データに基づき、重ね打ちの回数分の画像形成を１つの印刷ジョブ内で実行することで、重ね打ちを行う画像形成手段と、を有することを特徴とする。
【発明の効果】
【０００８】
本発明によれば、利用者の所望する質の画像形成を行うことができる。
【図面の簡単な説明】
【０００９】
【図１】実施形態の画像形成装置の外観を示す斜視図である。
【図２】実施形態のカセットの外観を示す斜視図である。
【図３】実施形態のカセットの断面図である。
【図４】実施形態の画像形成装置の構成を説明するための図である。
【図５】実施形態の画像形成装置およびパーソナルコンピュータの内部構成を例示するブロック図である。
【図６】実施形態の画像形成装置およびパーソナルコンピュータの機能ブロック図である。
【図７】実施形態の表示画面例を示す図である。
【図８】実施形態の動作例を示すフローチャートである。
【発明を実施するための形態】
【００１０】
以下、本実施形態に係る画像形成装置、画像形成方法、画像形成プログラムについて説明する。
【００１１】
図１は、本実施形態の画像形成装置を示す斜視図であり、カセットが本体部から取り外された状態を示している。
【００１２】
画像形成装置１０００は、布等の記録媒体（後述の記録媒体４００）に印刷可能なガーメントプリンタであり、着脱可能なカセット２００に設置された記録媒体に対して画像を形成する。本実施形態では、記録媒体として布地を用いた場合を想定して説明するが、ハンカチ、タオルなどの一枚の布地で形成されるものだけではなく、Ｔシャツ、トレーナーなどの衣服として加工された布地、トートバック等の製品の一部となっているものにも用いることができる。また、布以外にもシート状のものであれば記録媒体として本実施形態の態様を適用することができる。
【００１３】
カセット２００が画像形成装置１０００の本体部に挿入され、副走査方向（図１のＹ軸方向）に移動することで、画像形成装置１０００は、プラテン３００にセットされた記録媒体に対し印刷を行う。
【００１４】
次にカセット２００の構成について説明する。図２（Ａ）はカセット２００のカバー２０２が閉じた状態、図２（Ｂ）はカバー２０２が開いた状態をそれぞれ示す斜視図である。また図３はカセット２００の断面図である。
【００１５】
カセット２００は、画像形成装置１０００の本体部１１００から着脱可能な外装となっており、またプラテン３００を備えている。カセット２００のカバー２０２は、ヒンジ２０３を介してカセットベース２０１と連結しており、利用者がロック２０４を解除して図２（Ｂ）に示す矢印Ａの方向にカバー２０２を回動させることで、カセット２００が開き状態となる。
【００１６】
プラテン３００は板状部材であり、図３に示す支柱ベース２３１、支柱カバー３３１、スプリング３３２により構成される支柱３１１によって支持されている。またプラテン３００は、支柱３１１によって上方（カセットベース２０１から離間する方向、Ｚ軸のプラス方向）に付勢されている。
【００１７】
利用者は、シワを取り除くように張りながら、記録媒体４００をプラテン３００上にセットして、カバー２０２を閉じ状態にする。カバー２０２が閉じ状態になると、プラテン３００上にセットされた記録媒体４００は、プラテン３００の外周とカバー２０２とで挟み込まれ、シワの発生を抑制した状態で保持される。利用者は、このように記録媒体４００をセットした後、カセット２００を画像形成装置１０００の本体部１１００に挿入する。
【００１８】
カセット２００は、記録媒体４００の特定領域（画像形成領域）を表面に露出した状態で、記録媒体４００を固定する記録媒体固定手段として機能し、記録媒体４００の当該領域に画像が形成される。このように表面に露出した領域に印刷されることから、利用者は、記録媒体４００上に形成された画像の仕上がり具合を、カセット２００にセットした状態のままで確認することができる。
【００１９】
つぎに、画像形成装置１０００の詳細構成について説明する。図４（Ａ）、（Ｂ）は、画像形成装置１０００の構成を説明するための図であり、それぞれ異なる方向から見た場合の斜視図である。尚、図４では、図１に示す画像形成装置１０００とは異なる機種のガーメントプリンタを参考図として用いているが、各ユニットの機能や用途、動作などについては同じであることから、図４に示す装置を本実施形態の画像形成装置１０００として扱って説明を行う。
【００２０】
画像形成装置１０００は、本体部１１００内に、記録媒体４００を保持するカセット２００を着脱可能に保持して進退移動する受け部材であるステージ１１１と、カセット２００のプラテン３００の上に保持されている記録媒体４００に印刷する印刷手段１１２とを備えている。
【００２１】
ステージ１１１は、本体部１１００に対して矢印Ａ方向（副走査方向）に移動可能に保持された搬送構造体１１３の上に設けられている。ここでは、本体部１１００の底部筐体部１１４に矢印Ａ方向に沿って搬送ガイド部材１１５が配置され、搬送構造体１１３のスライダ部１１６が搬送ガイド部材１１５によって移動可能に保持されている。
【００２２】
印刷手段１１２は、ステージ１１１に対して矢印Ｂ方向（主走査方向）に移動するキャリッジ１２１と、キャリッジ１２１に搭載された記録ヘッド１１０２とを備えている。キャリッジ１２１は、矢印Ｂ方向に沿って配置されたガイド部材１２３で移動可能に保持され、駆動モータ１２４によってタイミングベルト１２５などの走査機構部を介して矢印Ｂ方向に往復移動される。記録ヘッド１１０２は液体吐出ヘッドを用いて、インクを記録媒体４００に吐出して画像の形成を行っているが、これに限るものではない。
【００２３】
この画像形成装置１０００においては、カセット２００に記録媒体４００をセットした状態で、装置本体内のステージ１１１にカセット２００を装着して保持する。そして、ステージ１１１の矢印Ａ方向への移動と記録ヘッド１１０２の矢印Ｂ方向への往復移動を繰り返すことで、記録媒体４００に所要の画像を印刷する。
【００２４】
引き続き、画像形成装置１０００の動作制御に関して説明する。図５は、画像形成装置１０００の内部構成を示すブロック図である。また図５では、印刷ジョブを画像形成装置１０００に投入する（送信する）端末であるパーソナルコンピュータ（以下「ＰＣ」と称る）の構成例も図示している。
【００２５】
制御部５００は、画像形成装置１０００の装置全体の制御を司る、記録媒体４００の搬送動作および記録ヘッド１１０２の移動動作に関する制御を司る手段を兼ねたＣＰＵ５１２と、ＣＰＵ５１２が実行するプログラム、その他の固定データを格納するＲＯＭ５１３を有する。制御部５００は、画像データ等を一時格納するＲＡＭ５１４と、装置の電源が遮断されている間もデータを保持するための書き換え可能な不揮発性メモリであるＮＶＲＡＭ５１５と、画像データに対する各種信号処理、並び替えなどを行う画像処理やその他装置全体を制御するための入出力信号を処理するＡＳＩＣ５１６を有する。
【００２６】
制御部５００は、外部装置であるＰＣ２０００とデータや信号の送受を行うための外部Ｉ／Ｆ５１１を有する。尚、イメージスキャナなどの画像読み取り装置、デジタルカメラなどの撮像装置などを外部装置として接続し、データの送受信を行ってもよい。制御部５００は、記録ヘッド１１０２を駆動するための駆動波形を生成するとともに、記録ヘッド１１０２の圧力発生手段を選択駆動させる画像データおよびそれに伴う各種データをヘッドドライバ５４１に出力するヘッド制御部５２１を有し、また主走査モータ５４２を駆動するための主走査モータ駆動部５２２を有する。
【００２７】
制御部５００は、副走査モータを駆動するための副走査モータ駆動部５２４を有する。制御部５００は、リニアエンコーダ５４３、ホイールエンコーダ５４５からの検出パルス、およびその他の各種センサ（レジストセンサ５５３、カセット検知センサ５３１）からの検知信号を入力するためのＩ／Ｏ５１７を有する。また、制御部５００には、利用者に情報を提示し、利用者からの入力情報を受け付ける操作パネル５３０が接続されている。
【００２８】
また、キャリッジ１２１に搭載したレジストセンサ５５３では、記録媒体４００のセンシングを行い、記録媒体４００の有無を検出する。
【００２９】
上記構成を有する画像形成装置１０００の印刷動作について説明する。
【００３０】
制御部５００は、ＰＣ２０００などが生成した印刷データを、ネットワークを介して外部Ｉ／Ｆ５１１で受信する。
【００３１】
制御部５００のＣＰＵ５１２は、外部Ｉ／Ｆ５１１に含まれる受信バッファ内の印刷データを読み出して解析し、ＡＳＩＣ５１６が必要な画像処理、データの並び替え処理等を行う。これら各処理が施された画像データは、ヘッド制御部５２１に転送され、ヘッド制御部５２１から所要のタイミングでヘッドドライバ５４１に画像データや駆動波形を出力する。
【００３２】
ヘッド制御部５２１は、ＲＯＭ５１３に格納されてＣＰＵ５１２で読み出される駆動パルスのパターンデータをＤ／Ａ変換するＤ／Ａ変換器および増幅器等を含み、１つの駆動パルス或いは複数の駆動パルスで構成される駆動波形を、ヘッドドライバ５４１に対して出力する。
【００３３】
ヘッドドライバ５４１は、記録ヘッド１１０２の１行分に相当する画像データに基づいて、駆動パルスを選択的に記録ヘッド１１０２の圧力発生手段に対して印加する。ヘッドドライバ５４１は、例えばクロック信号および画像データであるシリアルデータを入力するシフトレジスタと、シフトレジスタのレジスト値をラッチ信号でラッチするラッチ回路と、ラッチ回路の出力値をレベル変換するレベル変換回路と、このレベル変換回路によりオン／オフが制御されるアナログスイッチアレイなどを含み、アナログスイッチアレイのオン／オフを制御することで、駆動波形に含まれる所要の駆動パルスを選択的に記録ヘッド１１０２の圧力発生手段に印加する。これらの動作により、記録ヘッド１１０２がインク滴を吐出し、記録媒体４００上に画像が形成される。
【００３４】
引き続き、ＰＣ２０００のハードウェア構成を説明する。主制御部５８０は、ＣＰＵ５８１、ＲＡＭ５８２、ＲＯＭ５８３、補助記憶装置であるストレージ５８４を有する。
【００３５】
表示操作ユニット５９０は、モニタ５９１や、キーボードやマウスなどのインプットデバイス５９２により構成される。ネットワークＩ／Ｆ５７１は、外部との通信を行うためのネットワークインターフェイスカードなどを含む。これら各ユニットは、バス５７２で接続されている。尚、ストレージ５８４には、後述の動作を行う制御プログラムが事前に導入されており、ＣＰＵ５８１が制御プログラムをＲＡＭ５８２に展開し、演算実行することで、以下に説明する各機能が提供される。
【００３６】
図６は、本実施形態における画像形成装置１０００およびＰＣ２０００のソフトウェア機能を例示するブロック図である。尚、画像形成装置１０００およびＰＣ２０００を含むシステムを画像形成システム１とする。
【００３７】
ＰＣ２０００は、印刷設定ＵＩ部６１１（印刷設定手段）、印刷データ作成部６１２（印刷データ作成手段）、データ送信部６１３（送信手段）を有する。
【００３８】
印刷設定ＵＩ部６１１は、利用者から形成対象の画像データ（第１画像）を受け付ける。また印刷設定ＵＩ部６１１は、図７（Ａ）に示す画面を表示して、各種設定値を受け付ける。本実施形態においては、図７（Ａ）の破線領域Ｒに示すように、記録媒体の種類（例えば「Ｔシャツ（白色／淡色）」など）、重ね打ちの回数、１つの印刷（後述の１つのページデータでの処理）を行うごとにジョブを停止するか否かの設定（一時停止設定と称する）を受け付ける。
【００３９】
印刷データ作成部６１２は、印刷設定ＵＩ部６１１で受け付けた画像データ、および設定値に基づき、印刷データを作成する。印刷データ作成部６１２は、ページデータを作成し、このページデータを重ね打ち回数分繰り返して記述することで、１回の印刷ジョブで実行される印刷データを作成する。
【００４０】
ここでページデータ、印刷データ、印刷ジョブの関係について補足で説明する。本実施形態において、ページデータは、画像形成対象である画像データと、ページ記述言語（Page Description Language：ＰＤＬ）の各種コマンドとを含めたデータ構成となっている。ここでの画像データには、ラスターデータ形式の画像データ、ベクターデータ形式の画像データのいずれか一方または両方でもよい。
【００４１】
重ね打ち印刷の手法として、同一のページデータを複数作成し、当該同一のページデータごとに印刷ジョブを実行する方法がある。これに対して本実施形態の印刷データ作成部６１２は、重ね打ちの印刷を行うに際し、１つの印刷ジョブ内で処理が完結するように、複数の同一ページデータを含んだデータを作成する。本実施形態では、このデータのことを印刷データとしている。
【００４２】
画像形成装置１０００は、印刷データを取得し、印刷ジョブを実行する。印刷データと印刷ジョブの対応は１：１の関係となっており、画像形成装置１０００は、１つの印刷データを取得すると、当該印刷データに対応した１つの印刷ジョブを実行する。
【００４３】
また印刷データ作成部６１２は、一時停止設定が有効である場合、すなわち対象画像が１回描画されるごとに停止すると設定されている場合、１つのページデータごとに停止コマンドを付加しながら、印刷データを作成する。
【００４４】
データ送信部６１３は、印刷データ作成部６１２で作成された印刷データを画像形成装置１０００に送信する。
【００４５】
引き続き画像形成装置１０００の構成について説明する。画像形成装置１０００は、データ受信部６２１（受信手段）、データ格納部６２２、描画部６２３（画像形成手段）、表示操作部６２４（表示操作手段）を有する。
【００４６】
データ受信部６２１は、ＰＣ２０００から送信された印刷データを受信する。データ格納部６２２は、データ受信部６２１により受信された印刷データを一時的に記憶する。
【００４７】
描画部６２３は、印刷データに応じて記録媒体４００上に画像を形成する。描画部６２３は、描画部６２３は、１つの印刷データがデータ格納部６２２に記憶されていると、当該印刷データに基づき１つの印刷ジョブを実行する。
【００４８】
また描画部６２３は、一時停止設定が有効である場合、１つのページデータの処理を行うごとにジョブを停止する。
【００４９】
表示操作部６２４は、ジョブが停止している状態のときに、ジョブを継続するか否かの指令を利用者から受け付ける。この際の表示操作部６２４による表示例を図７（Ｂ）に示す。図７（Ｂ）において、表示操作部６２４は、ジョブを継続するか終了するかの問い合わせメッセージを領域７５１に表示し、操作可能な形式のキャンセルボタン７５２、ＯＫボタン７５３を画面内に配置する。また表示操作部６２４は、他の設定画面に遷移するための矢印ボタン７５４を画面内に配置する。
【００５０】
ＯＫボタン７５３が押下されると、描画部６２３は、停止しているジョブを再開して同じ画像データを重ね打ちする。キャンセルボタン７５２が押下されると、描画部６２３は、停止していたジョブをここで終了する。すなわちキャンセルボタン７５２が押下されると、以降の重ね打ち印刷は行われない。
【００５１】
図８は、ＰＣ２０００および画像形成装置１０００の動作例を示すフローチャートである。図８（Ａ）はＰＣ２０００の動作例であり、図８（Ｂ）は画像形成装置１０００の動作例である。
【００５２】
印刷設定ＵＩ部６１１は、形成対象の画像データを受け付けるとともに、図７（Ａ）に示す画面を表示して、利用者から記録媒体の種類、重ね打ちの回数、一時停止設定を有効とするか無効とするかの値を受け付ける（Ｓ８０１）。
【００５３】
そして印刷データ作成部６１２は、受け付けた画像データを１つのページとするページデータを１つ作成する（Ｓ８０２）。ページデータは、上記のとおりＰＤＬで記述されたデータである。
【００５４】
一時停止設定値が有効である場合（Ｓ８０３：Ｙｅｓ）、印刷データ作成部６１２は、ページデータ内に、ＰＤＬ形式の一時停止用コマンド（停止コマンド）を付加する（Ｓ８０４）。そして印刷データ作成部６１２は、Ｓ８０１で指定された重ね打ちの回数分のページデータを作成したかを判定する（Ｓ８０５）。作成していない場合（Ｓ８０５：Ｎｏ）、処理をＳ８０２に戻して同じページデータを作成する（Ｓ８０２）。印刷データ作成部６１２は、このＳ８０２〜Ｓ８０４の処理を順次行って、同じページデータを重ね打ちの回数分含めた印刷データを作成する。
【００５５】
同じページデータを重ね打ちの回数分含めた印刷データを作成した場合（Ｓ８０５：Ｙｅｓ）、データ送信部６１３は、画像形成装置１０００に作成後の印刷データを送信する。
【００５６】
引き続き画像形成装置１０００の動作について図７（Ｂ）を用いて説明する。データ受信部６２１が印刷データを受信すると、データ格納部６２２は、当該印刷データを一時的に格納（記憶）する。そして描画部６２３は、データ格納部６２２に格納された印刷データに基づき下記の印刷ジョブを開始する。
【００５７】
描画部６２３は、印刷データの中から１ページ分のページデータを抽出して、記録媒体４００に対して画像形成を行う（Ｓ８５１）。
【００５８】
当該ページデータの処理が完了し、画像が記録媒体４００に形成されると、描画部６２３は、一時停止用コマンドの有無を確認することで、一時停止設定が有効であるかを判定する（Ｓ８５２）。一時停止設定が無効である場合（Ｓ８５２：Ｎｏ）、描画部６２３は処理をＳ８５７に進める。一時停止設定が有効である場合（Ｓ８５２：Ｙｅｓ）、描画部６２３は実行中の印刷ジョブを一時停止する（Ｓ８５３）。そして表示操作部６２４は、この停止状態の間に図７（Ｂ）に示す画面を表示する（Ｓ８５４）。利用者は、この停止状態の間に記録媒体４００を視認して、記録媒体４００に形成された画像の仕上がり具合を判断する。
【００５９】
表示操作部６２４は、利用者によりＯＫボタン７５３が押下されることで重ね打ちを実行する旨の指令を受け付けると（Ｓ８５５：Ｙｅｓ）、描画部６２３は、未処理のページデータ（残余ページデータと称する）があるかを判定し（Ｓ８５７）、残余ページデータがある場合（Ｓ８５７：Ｙｅｓ）、処理をＳ８５１に戻して、続きのページデータの処理を実行することで同じ画像の重ね打ち印刷を行う（Ｓ８５１）。残余ページデータが無い場合（８５７）、描画部６２３は当該印刷ジョブを終了する。
【００６０】
Ｓ８５５でキャンセルボタン７５２が押下されて印刷終了の指示を受け付けると（Ｓ８５５：Ｎｏ）、描画部６２３は、残余ページデータを削除して（Ｓ８５６）、処理をＳ８５７に進める。尚、描画部６２３は、残余ページデータを削除した後、Ｓ８５７を実行せずに当該印刷ジョブを終了してもよい。
【００６１】
本実施形態により、同じ画像データを複数送信し、送信したデータに基づいて重ね打ち印刷を行うことで、画像を濃くすることができ、画像品質の安定化を図ることができる。また、重ね打ち印刷の回数を指定する機会を利用者に提供し、また重ね打ち印刷を１回行うごとに仕上がり具合を確認する機会を利用者に提供することで、利用者が所望する品質の画像を得ることができる。
【００６２】
また、製品の試作段階では、重ね打ち印刷を１回行うごとに仕上がり具合を確認するモードで実行し、出荷用製品の製造段階では、試作段階で得られた好適な重ね打ち回数を設定し、仕上がり具合を確認することなく印刷を行う、との運用も可能となる。
【００６３】
本実施形態では、ガーメントプリンタを例示して説明したが、通常の紙媒体などのシートに対して印刷を行う画像形成装置にも適用することができる。
【００６４】
本実施形態では、ＰＣ２０００で印刷データを作成し、これを画像形成装置１０００が受信して画像形成を実施しているが、画像形成装置１０００が印刷データを作成してもよい。またＰＣ２０００で重ね打ち印刷の回数、および一時停止設定を行うものとして説明したが、これを画像形成装置１０００で行ってもよい。すなわち、ＰＣ２０００に備えられる印刷設定ＵＩ部６１１、印刷データ作成部６１２を、画像形成装置１０００に備えさせてもよい。このことから、本実施形態の画像形成システム１は、ＰＣ２０００と画像形成装置１０００を有する構成であってもよく、画像形成装置１０００の単体であってもよい。
【００６５】
尚、本実施形態による「重ね打ち」とは、同じ記録媒体の同じ描画領域内に、同じ画像を複数回繰り返し形成することを意味する。
【００６６】
以上、本実施形態により、利用者が所望する質の画像形成を行うことができる。
【符号の説明】
【００６７】
１：画像形成システム
１１２：印刷手段
２００：カセット
３００：プラテン
４００：記録媒体
５００：制御部
５１１：外部Ｉ／Ｆ
５２１：ヘッド制御部
５２２：主走査モータ駆動部
５２４：副走査モータ駆動部
５３０：操作パネル
５７１：ネットワークＩ／Ｆ
５８０：主制御部
５９０：表示操作ユニット
５９１：モニタ
５９２：インプットデバイス
６１１：印刷設定ＵＩ部
６１２：印刷データ作成部
６１３：データ送信部
６２１：データ受信部
６２２：データ格納部
６２３：描画部
６２４：表示操作部
１０００：画像形成装置
１１００：本体部
２０００：ＰＣ
【先行技術文献】
【特許文献】
【００６８】
【特許文献１】特開２００２−３４１４６０号公報
【図１】
2020149375.tif 000003
【図２】
2020149375.tif 000004
【図３】
2020149375.tif 000005
【図４】
2020149375.tif 000006
【図５】
2020149375.tif 000007
【図６】
2020149375.tif 000008
【図７】
2020149375.tif 000009
【図８】
2020149375.tif 000010